(57)【要約】  コンテンツ送信装置１０は、カテゴリ１又はカテゴリ２のＨＤＭＩケーブル３０を介して、コンテンツ受信装置４０と接続され、カテゴリ１のＨＤＭＩケーブル３０の帯域周波数を上限として、出力する信号のクロック周波数を決定する処理と、決定されたクロック周波数で、カテゴリ２のＨＤＭＩケーブル３０に対応した伝送モードに設定するか否かを選択させる選択画面をコンテンツ受信装置に出力する処理と、カテゴリ２のＨＤＭＩケーブル３０に対応した伝送モードに設定する旨の情報を受信した場合には、カテゴリ２のＨＤＭＩケーブル３０の帯域周波数を上限として、出力する信号のクロック周波数を再決定し、再決定したクロック周波数で、コンテンツをコンテンツ受信装置に出力する処理と、を実行するコンテンツ送信手段を備える。【選択図】図４
2009118851.tif 000002
【特許請求の範囲】
【請求項１】
少なくとも、保証されている伝送帯域が第１の周波数である第１のケーブルと、保証されている伝送帯域が前記第１の周波数よりも高い第２のケーブルの２種類が存在し、いずれかの種類のケーブルを介して、コンテンツ受信装置と接続され、前記コンテンツ受信装置にコンテンツを送信するコンテンツ送信装置であって、
前記コンテンツ受信装置から、前記コンテンツ受信装置の機器仕様に関する情報を取得する機器情報取得処理と、
取得したコンテンツ受信装置の機器仕様に関する情報を加味して、出力する信号のクロック周波数が前記第１の周波数以下となるように出力フォーマット及び前記クロック周波数を決定する第１のクロック周波数決定処理と、
前記第１のクロック周波数決定処理において決定されたクロック周波数で、前記第２のケーブルに対応した伝送モードに設定するか否かを選択させる選択画面を前記コンテンツ受信装置に出力する第１の出力制御処理と、
前記第２のケーブルに対応した伝送モードに設定する旨の情報を受信した場合には、取得したコンテンツ受信装置の機器仕様に関する情報を加味して、出力フォーマット及び出力する信号のクロック周波数を決定し、
前記第２のケーブルに対応した伝送モードに設定しない旨の情報を受信した場合には、前記第１のクロック周波数決定処理で決定された出力フォーマット及びクロック周波数をそのまま維持して決定する第２のクロック周波数決定処理と、
前記第２のクロック周波数決定処理で決定されたクロック周波数で、コンテンツを前記コンテンツ受信装置に出力する第２の出力制御処理と、
を実行するコンテンツ送信手段を備えることを特徴とするコンテンツ送信装置。
【請求項２】
前記コンテンツ受信装置及び前記コンテンツ送信装置は、ＨＤＭＩ規格に準拠しており、
前記ケーブルは、ＨＤＭＩケーブルであることを特徴とする請求項１記載のコンテンツ送信装置。
【請求項３】
前記第２のクロック周波数決定処理は、
前記第２のケーブルに対応した伝送モードに設定する旨の情報を受信した場合には、出力する信号のクロック周波数が前記第２のケーブルの伝送帯域である第２の周波数以下となるように、出力フォーマット及び前記クロック周波数を決定することを特徴とする請求項１又は２記載のコンテンツ送信装置。
【請求項４】
前記コンテンツ送信手段は、
電源立ち上げ時に、
前記機器情報取得処理、前記第１のクロック周波数決定処理、前記第１の出力制御処理、前記第２のクロック周波数決定処理、及び前記第２の出力制御処理を実行することを特徴とする請求項１乃至３のいずれか１項に記載のコンテンツ送信装置。
【請求項５】
前記第２のクロック周波数決定処理で決定された出力フォーマット及びクロック周波数に関する情報を記憶する記憶手段をさらに備え、
前記コンテンツ送信手段は、
前記機器情報取得処理において取得したコンテンツ受信装置の機器仕様に関する情報から、前記コンテンツ受信装置の機器が変更されたか否かを判定する機器変更判定処理を  実行し、
前記機器変更判定処理において前記コンテンツ受信装置の機器が変更されたと判断したときには、前記第１のクロック周波数決定処理、前記第１の出力制御処理、前記第２のクロック周波数決定処理、及び前記第２の出力制御処理を実行し、
前記機器変更判定処理において前記コンテンツ受信装置の機器が変更されていないと判断したときには、前記記憶手段に記憶された出力フォーマット及びクロック周波数で、コンテンツを前記コンテンツ受信装置に出力する第３の出力制御処理を実行することを特徴とする請求項１乃至４のいずれか１項に記載のコンテンツ送信装置。
【請求項６】
前記コンテンツ送信手段は、
前記コンテンツ受信装置との接続を検出する機器接続検出処理を実行し、
前記機器接続検出処理において前記コンテンツ受信装置との切断を検出した後に、前記コンテンツ受信装置との再接続を検出したときには、前記機器情報取得処理、前記第１のクロック周波数決定処理、前記第１の出力制御処理、前記第２のクロック周波数決定処理、及び前記第２の出力制御処理を実行することを特徴とする請求項１乃至５のいずれか１項に記載のコンテンツ送信装置。
【請求項７】
前記コンテンツ送信手段は、
ユーザからの操作指示があった場合に、
前記第１のクロック周波数決定処理、前記第１の出力制御処理、前記第２のクロック周波数決定処理、及び前記第２の出力制御処理を実行することを特徴とする請求項１乃至６のいずれか１項に記載のコンテンツ送信装置。
【請求項８】
前記コンテンツ送信手段は、
ユーザからの操作指示があった場合に、
前記第１の出力制御処理、前記第２のクロック周波数決定処理、及び前記第２の出力制御処理を実行し、
前記第１の出力制御処理は、前記第１のクロック周波数決定処理において決定されたクロック周波数の代わりに、現在、設定されているクロック周波数で、前記第２のケーブルに対応した伝送モードに設定するか否かを選択させる選択画面を前記コンテンツ受信装置に出力し、
前記第２のクロック周波数決定処理は、前記第２のケーブルに対応した伝送モードに設定しない旨の情報を受信した場合には、取得したコンテンツ受信装置の機器仕様に関する情報を加味して、出力する信号のクロック周波数が前記第１の周波数以下となるように出力フォーマット及び前記クロック周波数を決定することを特徴とする請求項１乃至６のいずれか１項に記載のコンテンツ送信装置。
【請求項９】
前記第２のケーブルに対応した伝送モードに設定する旨の情報を受信した場合には、
前記第２の出力制御処理は、
前記第２のクロック周波数決定処理で決定されたクロック周波数で、当該設定を確認するための確認画面を前記コンテンツ受信装置に出力し、当該設定でよい旨の情報を受信した場合に、前記第２のクロック周波数決定処理で決定されたクロック周波数で、コンテンツを前記コンテンツ受信装置に出力することを特徴とする請求項１乃至８のいずれか１項に記載のコンテンツ送信装置。
【請求項１０】
前記第２のクロック周波数決定処理は、
前記第２のケーブルに対応した伝送モードに設定しない旨の情報を受信した場合には、前記第１のクロック周波数決定処理で決定された出力フォーマット及びクロック周波数をそのまま維持して決定するとともに、決定されたクロック周波数を越えた特定の出力フォーマットを選択可能とする設定を行うことを特徴とする請求項１乃至９のいずれか１項に記載のコンテンツ送信装置。
【発明の詳細な説明】
【技術分野】
【０００１】
本発明は、コンテンツ送信装置に関し、例えば、ＨＤＭＩ（High-Definition Multimedia Interface）のインターフェースを備えたコンテンツ送信装置に好適に適用できる。
【背景技術】
【０００２】
ＡＶ機器向けのデジタルインターフェースとしてＨＤＭＩ（High-Definition Multimedia Interface）が普及している。従来は、機器間の接続にビデオ、オーディオ、制御の各信号用の複数のケーブルを用いていたが、ＨＤＭＩではケーブル一本で済み、制御信号は双方向の伝送に対応しているため、機器間をシンプルに接続できるとともに、一つのリモコンで複数のＡＶ機器を制御することができるようになっている。また、ＨＤＭＩインターフェースを備えたＡＶシステムでは、機器間においてデジタル信号で映像と音声を伝送するので、高品質の映像及び音声を劣化させず、高品質のままコンテンツを視聴することができるようになっている。【０００３】
このようなＨＤＭＩインターフェースを用いた技術には、例えば、ＤＶＤ（Digital Versatile Disc）プレーヤなどＨＤＭＩ出力端子を備えるコンテンツ送信装置（Ｓｏｕｒｃｅ）が、モニタやＴＶなどのＨＤＭＩ入力端子を備えるコンテンツ受信装置（Ｓｉｎｋ）から機器の映像仕様や音声出力仕様などの情報（ＥＤＩＤ；Extended Display Identification Data）を取得して、機器の仕様に合った映像と音声信号を送信する技術が知られている（例えば、特許文献１参照。）。【０００４】
【特許文献１】特開２００５−１０９７０３号公報
【発明の開示】
【発明が解決しようとする課題】
【０００５】
ところで、コンテンツ送信装置とコンテンツ受信装置を接続するＨＤＭＩケーブルにはカテゴリ１（スタンダード）とカテゴリ２（ハイスピード）の２種類のケーブルがあり、この２種類のＨＤＭＩケーブルは、保証されている伝送帯域が異なっている。より詳しくは、カテゴリ１では７４．２５ＭＨｚ、カテゴリ２では３４０ＭＨｚまで保証されている。【０００６】
上述したように、ＨＤＭＩインターフェースで接続されたＡＶシステムにおいては、高画質及び高音質のコンテンツを信号の劣化なしに堪能することができる。また、モニタやＴＶの仕様に合った最適な条件でコンテンツを表示することができる。【０００７】
しかしながら、上述したＨＤＭＩケーブルの伝送帯域の違いから、両装置を接続するＨＤＭＩケーブルが要因で映像が表示されない、音が出力されないということがあり得る。例えば、カテゴリ１のＨＤＭＩケーブルを用いてコンテンツ送信装置とコンテンツ受信装置を接続し、コンテンツを伝送するためのクロック周波数（ＴＭＤＳクロック周波数）が７４．２５ＭＨｚより大きい場合には、映像が表示されなかったり、音声が出力されなかったりする場合がある。【０００８】
このように、ＨＤＭＩインターフェースで接続されたＡＶシステムにおいては、コンテンツ送信装置やコンテンツ受信装置が十分に高画質及び高音質のコンテンツを再生及び表示する能力があったとしても、接続しているＨＤＭＩケーブルの種類によっては、ＨＤＭＩケーブルが要因となって、映像が表示されない、音声が出力されないという問題がある。【０００９】
また、この場合、ユーザは自ら使用しているＨＤＭＩケーブルの種類を認識していない場合が多いので、ユーザは何が原因で映像が映らなくなったのかを理解することができず、両装置に対して商品苦情が発生する可能性もある。【００１０】
本発明は、上記の事情を鑑みてなされたものであり、その課題の一例としては、ケーブルが要因となって、映像が表示されなかったり、音声が出力されなかったりする不具合を低減化するとともに、仮に不具合が生じたとしてもケーブルが要因であることをユーザに認識させることができるコンテンツ送信装置を提供することにある。
【課題を解決するための手段】
【００１１】
上記の課題を達成するため、請求項１記載の発明は、少なくとも、保証されている伝送帯域が第１の周波数である第１のケーブルと、保証されている伝送帯域が前記第１の周波数よりも高い第２のケーブルの２種類が存在し、いずれかの種類のケーブルを介して、コンテンツ受信装置と接続され、前記コンテンツ受信装置にコンテンツを送信するコンテンツ送信装置であって、前記コンテンツ受信装置から、前記コンテンツ受信装置の機器仕様に関する情報を取得する機器情報取得処理と、取得したコンテンツ受信装置の機器仕様に関する情報を加味して、出力する信号のクロック周波数が前記第１の周波数以下となるように出力フォーマット及び前記クロック周波数を決定する第１のクロック周波数決定処理と、前記第１のクロック周波数決定処理において決定されたクロック周波数で、前記第２のケーブルに対応した伝送モードに設定するか否かを選択させる選択画面を前記コンテンツ受信装置に出力する第１の出力制御処理と、前記第２のケーブルに対応した伝送モードに設定する旨の情報を受信した場合には、取得したコンテンツ受信装置の機器仕様に関する情報を加味して、出力フォーマット及び出力する信号のクロック周波数を決定し、前記第２のケーブルに対応した伝送モードに設定しない旨の情報を受信した場合には、前記第１のクロック周波数決定処理で決定された出力フォーマット及びクロック周波数をそのまま維持して決定する第２のクロック周波数決定処理と、前記第２のクロック周波数決定処理で決定されたクロック周波数で、コンテンツを前記コンテンツ受信装置に出力する第２の出力制御処理と、を実行するコンテンツ送信手段を備えるコンテンツ送信装置である。
【図面の簡単な説明】
【００１２】
【図１】本発明の実施の形態に係るコンテンツ送受信システムの概略構成図である。
【図２】本発明の実施の形態に係るコンテンツ送信装置における出力フォーマットの決定方法を具体的に示す図である。
【図３】本発明の実施の形態に係るコンテンツ受信装置が記憶するＥＤＩＤ情報のデータ構成の一例を示す図である。
【図４】本発明の実施の形態に係るコンテンツ送信装置の出力フォーマット決定処理を示すフローチャートである。
【図５】本発明の実施の形態に係るコンテンツ送信装置の出力フォーマット決定処理の第１変形例を示すフローチャートである。
【図６】本発明の実施の形態に係るコンテンツ送信装置の出力フォーマット決定処理の第２変形例を示すフローチャートである。
【図７】本発明の実施の形態に係るコンテンツ送信装置の出力フォーマット決定処理の第３変形例を示すフローチャートである。
【図８】本発明の実施の形態に係るコンテンツ送信装置の出力フォーマット決定処理の第４変形例を示すフローチャートである。
【図９】本発明の実施の形態に係るコンテンツ送信装置の出力フォーマット決定処理の第５変形例を示すフローチャートである。
【符号の説明】
【００１３】
１  光ディスク
１０  コンテンツ送信装置
１１  信号読取部
１２  信号処理部
１３  映像復調部
１４  映像変換部
１５  音声復調部
１６  音声変換部
１７  ＨＤＭＩ送信部
１８  ＧＵＩ生成部
１９  操作部
２０  ＣＰＵ
２１  記憶部
３０  ＨＤＭＩケーブル
３１  ＴＭＤＳリンク
３２  ＤＤＣライン
３３  ＨＰＤライン
４０  コンテンツ受信装置
４１  ＨＤＭＩ受信部
４２  ＥＤＩＤ ＲＯＭ
１００  コンテンツ送受信システム
１４１  解像度変換部
１４２  ビット数変換部
１４３  ピクセル繰り返し変換部
ｄ１０  ＥＤＩＤ情報
【発明を実施するための最良の形態】
【００１４】
以下、本発明の実施の形態を図面を用いて説明する。【００１５】
＜構成＞
図１は、本発明の実施の形態に係るコンテンツ送受信システム１００の概略構成を示す図である。コンテンツ送受信システム１００は、ＨＤＭＩ（High-Definition Multimedia Interface）規格に準拠したデジタル信号や制御信号を送受信可能なＡＶシステムであり、コンテンツ送信装置（Ｓｏｕｒｃｅ）１０とコンテンツ受信装置（Ｓｉｎｋ）４０がＨＤＭＩインターフェースで接続されている。すなわち、コンテンツ送受信システム１００は、コンテンツ送信装置１０と、コンテンツ受信装置４０と、を備え、コンテンツ送信装置１０とコンテンツ受信装置４０はＨＤＭＩケーブル３０で接続されている。【００１６】
コンテンツ送信装置１０は、ＨＤＭＩ出力端子を有するコンテンツ再生機器であり、例えば、具体的には、ＢＤ（Blu-ray Disc）プレーヤ、ＢＤレコーダ、ＤＶＤ（Digital Versatile Disc）プレーヤ、ＤＶＤレコーダ、ＨＤＤ（Hard Disk Drive）レコーダ、デジタルカメラなどが想定される。以下においては、光ディスク１（例えばＢＤ）を再生するコンテンツ送信装置１０（例えば、ＢＤプレーヤ）として機能を説明する。【００１７】
コンテンツ受信装置４０は、ＨＤＭＩ入力端子を有するコンテンツ表示機器であり、例えば、具体的には、ＬＣＤ（Liquid Crystal Display）、ＰＤＰ（Plasma Display Panel） 等のディスプレイを備えたＴＶ（Television）などが想定される。以下においては、ディスプレイ及びスピーカを備えたコンテンツ受信装置４０として機能を説明する。【００１８】
ＨＤＭＩケーブル３０は、デジタル信号である映像・音声信号を差動方式で伝送するためのＴＭＤＳ（Transition Minimized Differential Signaling）リンク３１と、ＥＤＩＤ（Extended Display Identification Data）の送信やＨＤＣＰ（High-bandwidth Digital Content Protection）認証に利用されるＤＤＣ（Display Data Channel）ライン３２と、機器間で共通の制御信号（ＣＥＣ（Consumer Electronics Control）コマンド）を伝送する双方向バスであるＣＥＣライン（図示せず）と、を含んで構成される。また、ＨＤＭＩケーブル３０には、接続機器の接続状態を通知するＨＰＤ（Hot Plug Detect）ライン３３が存在する。【００１９】
コンテンツ送信装置１０は、詳しくは、信号読取部１１、信号処理部１２、映像復調部１３、映像変換部１４、音声復調部１５、音声変換部１６、ＨＤＭＩ送信部１７、ＧＵＩ生成部１８、操作部１９、ＣＰＵ２０、及び記憶部２１を具備する構成である。【００２０】
信号読取部１１は、記録媒体である光ディスク１の記録を読み取り可能な位置に配置され、光ディスク１に記録されたデータ（具体的には、光ディスク１に記録されたマーク及びスペース）を読み取り、電気的な信号に変換するようになっている。【００２１】
信号処理部１２は、信号読取部１１により読み取られた信号をデジタル信号に変換し、変換したデジタル信号を映像成分及び音声成分のデジタル信号に分離するようになっている。【００２２】
映像復調部１３は、分離されたデジタル映像信号を受け取ると、所定形式の映像信号に復号化するようになっている。【００２３】
映像変換部１４は、ＣＰＵ２０の制御に基づいて、入力されたデジタル映像信号に対して解像度、ビット数、及びピクセル繰り返し（Pixel-Repetition）の変換処理を行うようになっている。詳しくは後述するが、ＣＰＵ２０は、コンテンツ受信装置４０から受け取ったＥＤＩＤ（Extended Display Identification Data）情報、及びコンテンツ送信装置１０におけるデフォルト設定やユーザ設定などを加味して、出力フォーマット（具体的には、解像度、ビット数、ピクセル繰り返しの回数）を設定するので、映像変換部１４は、この設定された出力フォーマットに合わせて変換処理を行うようになっている。【００２４】
映像変換部１４は、より詳しくは、解像度変換部１４１と、ビット数変換部１４２と、ピクセル繰り返し変換部１４３と、を備える。【００２５】
解像度変換部１４１は、設定された解像度に合わせて、入力されたデジタル映像信号の解像度を変換する。具体的には、解像度として、画素数、走査方式（インターレース方式またはプログレッシブ方式）及びフレームレート（６０Ｈｚ、５０Ｈｚなど）が設定されるので（例えば、４８０ｉ／６０Ｈｚ、４８０ｐ／６０Ｈｚ、７２０ｐ／６０Ｈｚ、１０８０ｉ／６０Ｈｚ、１０８０ｐ／６０Ｈｚなど）、設定された解像度に合わせてデジタル映像信号を変換する。【００２６】
ビット数変換部１４２は、設定されたビット数に合わせて、入力されたデジタル映像信号のビット数を変換する。具体的には、ビット数としては、２４ビット（ＲＧＢ、ＹＣｂＣｒ各色８ビット、またはＹＣｂ／Ｃｒ各色１２ビット）、３０ビット（ＲＧＢ、ＹＣｂＣｒ各色１０ビット）、３６ビット（ＲＧＢ、ＹＣｂＣｒ各色１２ビット）、４８ビット（ＲＧＢ、ＹＣｂＣｒ各色１６ビット）のいずれかが設定されるので、設定されたビット数に合わせてデジタル映像信号を変換する。【００２７】
ピクセル繰り返し変換部１４３は、設定されたピクセル繰り返しの回数に合わせて、入力されたデジタル映像信号のピクセル繰り返し回数を変換する。具体的には、ピクセル繰り返しの回数としては、なし、２回、４回などの回数のいずれかが設定されるので、設定されたピクセル繰り返し回数に合わせてデジタル映像信号を変換する。【００２８】
音声復調部１５は、分離されたデジタル音声信号を受け取ると所定形式の音声信号に復号化するようになっている。【００２９】
音声変換部１６は、ＣＰＵ２０の制御に基づいて、入力された音声信号の変換処理を行うようになっている。【００３０】
ＨＤＭＩ送信部１７は、映像変換部１４及び音声変換部１６により生成されたデジタル映像信号とデジタル音声信号とを、時間的に多重化して、ＨＤＭＩ規格に準拠したデジタルデータに変換し、変換したデジタルデータを、ＨＤＭＩケーブル３０を介してコンテンツ受信装置４０に送信するようになっている。詳しくは、デジタル映像信号及びデジタル音声信号で構成されるコンテンツデータは、ＨＤＭＩケーブル３０のＴＭＤＳリンク３１を介して、コンテンツ受信装置４０に送信される。【００３１】
また、ＨＤＭＩ送信部１７は、コンテンツ送信装置１０とコンテンツ受信装置４０との接続の有無を検出している。詳しくは、ＨＤＭＩ送信部１７は、ＨＤＭＩケーブル３０のＨＰＤライン３３から、接続の有無に関する情報を受け取るようになっている。【００３２】
ＧＵＩ生成部１８は、出力フォーマットをＨＤＭＩケーブル３０のカテゴリ２（ハイスピード）に対応した伝送モードにするか否かの選択画面（以下、伝送モード選択画面という）を作成するようになっている。この設定画面は、ＨＤＭＩ送信部１７及びＨＤＭＩケーブル３０を介して、コンテンツ受信装置４０に送信され、コンテンツ受信装置４０に表示される。【００３３】
操作部１９は、コンテンツ送信装置１０に対するユーザからの操作指示を示す操作情報を受け付け、当該操作情報をＣＰＵ２０に出力している。本実施の形態では、伝送モード選択画面を表示した後、出力フォーマットをカテゴリ２（ハイスピード）に対応した伝送モードにするか否かの操作情報を受け付けるようになっている。【００３４】
ＣＰＵ２０は、コンテンツ送信装置１０のコンテンツ再生動作やコンテンツ送信動作を含むすべての動作を統括的に制御している。例えば、ＣＰＵ２０は、操作情報に基づいて、その操作内容が反映されるよう各部をそれぞれ制御している。また、コンテンツ受信装置４０から取得したＥＤＩＤ情報、コンテンツ送信装置１０における設定情報等に基づいて、出力フォーマットを決定し、再生したコンテンツを決定した出力フォーマットでコンテンツ受信装置４０に送信するように制御している。その際、本実施の形態では、ＨＤＭＩケーブル３０のカテゴリ２（ハイスピード）に対応した伝送モードにするか否かの選択画面をコンテンツ受信装置４０に表示し、ユーザの選択に応じて、伝送モード（出力フォーマット）を設定するようになっている。【００３５】
ここで、図２を参照して、本実施の形態のコンテンツ送信装置１０における出力フォーマットの決定について説明する。【００３６】
上述したように、解像度、ビット数、及びピクセル繰り返しが決定することにより、出力フォーマットが決定する。そしてこの結果、コンテンツデータを送信するためのＴＭＤＳクロック周波数が決定する。【００３７】
例えば、図２に示すように、解像度を４８０ｐ／５９．９４Ｈｚ、ビット数を２４ビット、ピクセル繰り返しを「なし」に決定した場合には、ｔａｂｌｅ１より、ピクセルクロック周波数は２７ＭＨｚ、ｔａｂｌｅ２より、ＴＭＤＳクロック周波数は、決定されたピクセルクロック周波数の１．０倍、ｔａｂｌｅ３より、ＴＭＤＳクロック周波数は、決定されたピクセルクロック周波数の１．０倍となる。すなわち、ＴＭＤＳクロック周波数は２７ＭＨｚ（＝２７×１．０×１．０）となる。したがって、この場合には、ＴＭＤＳクロック周波数が７４．２５ＭＨｚ以下なので、カテゴリ１（スタンダード）又はカテゴリ２（ハイスピード）のＨＤＭＩケーブル３０のいずれを使用しても、コンテンツ受信装置４０は、映像や音声を確実に出力することができる。【００３８】
また、解像度が１０８０ｐ／５９．９４ＭＨｚ、ビット数が３６ビット、ピクセル繰り返しが「なし」の場合には、ｔａｂｌｅ１より、ピクセルクロック周波数は１４８．３５２ＭＨｚ、ｔａｂｌｅ２より、ＴＭＤＳクロック周波数は、決定されたピクセルクロック周波数の１．５倍、ｔａｂｌｅ３より、ＴＭＤＳクロック周波数は、決定されたピクセルクロック周波数の１．０倍となる。すなわち、ＴＭＤＳクロック周波数は２２２．５２８ＭＨｚ（＝１４８．３５２×１．５×１．０）となる。したがって、この場合には、ＴＭＤＳクロック周波数が７４．２５ＭＨｚを越えているので、カテゴリ１（スタンダード）のＨＤＭＩケーブル３０を使用した場合、コンテンツ受信装置４０は、映像や音声を出力しない可能性が高い。【００３９】
記憶部２１は、ＣＰＵ２０が実行する制御プログラムを格納するＲＯＭ、ＣＰＵ２０が動作する際の一時的なデータを保存するＲＡＭ、各種の設定情報及び制御情報を格納する不揮発性メモリ、各種データを記憶するハードディスクなどの補助記憶装置から構成される。なお、この制御プログラムは、記憶部２１に記憶される他、携行可能なフラッシュメモリ、ＣＤ−ＲＯＭ、ＭＯ、ＤＶＤ−ＲＯＭなどのＡＶ機器やコンピュータが読み取り可能な記録媒体に記録することも、通信ネットワークを介して配信することも可能である。【００４０】
本実施の形態では、ＣＰＵ２０が、出力フォーマットを決定する際に参照するデフォルト設定情報（例えば、工場出荷時に既に設定されている情報）、ユーザ設定情報（出力フォーマットに対してユーザが設定した情報）などは、記憶部２１に記憶されている。【００４１】
一方、コンテンツ受信装置４０は、ＨＤＭＩ受信部４１を備えている。ＨＤＭＩ受信部４１は、ＴＭＤＳリンク３１を介して入力したＨＤＭＩ規格に準拠したデジタルデータを受信し、受信したデジタルデータからデジタル映像信号と音声信号を復元するようになっている。なお、復元されたデジタルデータは、図示しない所定の構成部材を介して、映像処理及び音声処理を施され、映像はディスプレイに表示され、音声はスピーカを介して出力される。【００４２】
また、ＨＤＭＩ受信部４１は、ＥＤＩＤ ＲＯＭ４２に記憶されたＥＤＩＤ情報を、ＨＤＭＩケーブル３０のＤＤＣライン３２を介して、コンテンツ送信装置１０に送信するようになっている。ＥＤＩＤ情報は、コンテンツ受信装置４０の機器を特定する機器特定情報、コンテンツ受信装置４０の映像仕様や音声出力仕様などに関する情報を含んで構成され、コンテンツ送信装置１０は、ＥＤＩＤ情報ｄ１０を受け取ることにより、コンテンツ受信装置４０の機器仕様に最適な出力フォーマットを決定できるようになっている。図３にＥＤＩＤ情報ｄ１０のデータ構成の一例を示す。【００４３】
ＥＤＩＤ情報ｄ１０は、図３に示すように、１又は複数の解像度に関する情報ｄ１１（具体的には、解像度、ピクセル繰り返し、推奨解像度であるか否か、などの情報）、カラースペースに関する情報ｄ１２（具体的には、ＹＣｂＣｒ４：４：４が受信可能であるか否か、ＹＣｂＣｒ４：２：２が受信可能であるか否か、などの情報）、その他情報ｄ１３（具体的には、４８ビットを受信可能か否か、３６ビットを受信可能か否か、３０ビットを受信可能か否か、ＹＣｂＣｒ４：４：４のディープカラーを受信可能か否か、受信可能な最大のＴＭＤＳクロック周波数、などの情報）を備えている。【００４４】
＜動作＞
次に、図４を用いて、本実施の形態に係るコンテンツ送受信システム１００のコンテンツ送信装置１０の動作について説明する。図４は、コンテンツ送信装置１０の出力フォーマット決定処理を示すフローチャートである。【００４５】
まず、図示しない電源スイッチにより、コンテンツ送信装置１０の電源が立ち上がると（ステップＳ１０）、コンテンツ送信装置１０は、システム初期化を行う（ステップＳ２０）。【００４６】
次いで、コンテンツ送信装置１０は、コンテンツ受信装置４０と接続されているか否かを判定する（ステップＳ３０）。具体的には、ＨＰＤにより、コンテンツ送信装置１０がコンテンツ受信装置４０と接続されているか否か、コンテンツ受信装置１０と接続されている場合には、さらにＨＤＣＰにより、コンテンツ送信装置１０とコンテンツ受信装置４０との認証に成功したか否かを判定する。【００４７】
コンテンツ送信装置１０がコンテンツ受信装置４０と接続されている場合（かつ、認証にも成功した場合）には（ステップＳ３０：ＹＥＳ）、コンテンツ送信装置１０は、ＨＤＭＩケーブル３０のＤＤＣライン３２を介して、コンテンツ受信装置４０からＥＤＩＤ情報ｄ１０を取得する（ステップＳ４０）。【００４８】
次いで、コンテンツ送信装置１０は、記憶部２１に記憶されたデフォルト設定情報及びユーザ設定情報、並びにコンテンツ受信装置４０から取得したＥＤＩＤ情報ｄ１０に基づいて、出力フォーマット（ＴＭＤＳクロック周波数）を決定する（ステップＳ５０）。ただし、ＴＭＤＳクロック周波数の上限値をカテゴリ−１のＨＤＭＩケーブル３０で送信可能な範囲（具体的には、ＴＭＤＳクロック周波数は７４．２５ＭＨｚ以下）となるように出力フォーマットを決定する。【００４９】
次いで、コンテンツ送信装置１０は、決定した出力フォーマットに従って、映像変換及び音声変換を行い、決定したＴＭＤＳクロック周波数で出力を開始する（ステップＳ６０）。【００５０】
次いで、コンテンツ送信装置１０は、カテゴリ２のＨＤＭＩケーブル３０に対応した伝送モードでコンテンツを送信するか否かの選択画面（以下、伝送モード選択画面という）を作成し、コンテンツ受信装置４０に送信する（ステップＳ７０）。なお、伝送モード選択画面は、ステップＳ５０で決定したＴＭＤＳクロック周波数、すなわち、カテゴリ−１のＨＤＭＩケーブル３０に対応した伝送モード（具体的には、ＴＭＤＳクロック周波数が７４．２５ＭＨｚ以下の出力フォーマット）であるので、コンテンツ受信装置４０は確実に伝送モード選択画面を表示することができる。【００５１】
次いで、コンテンツ送信装置１０は、ユーザからの操作情報を受け付け、カテゴリ２のＨＤＭＩケーブル３０に対応した伝送モードを選択したか否かを判定する（ステップＳ８０）。【００５２】
カテゴリ２のＨＤＭＩケーブル３０に対応した伝送モードを選択した場合には（ステップＳ８０：ＹＥＳ）、コンテンツ送信装置１０は、ＴＭＤＳクロック周波数の上限値をカテゴリ−２のＨＤＭＩケーブル３０で送信可能な範囲（具体的には、ＴＭＤＳクロック周波数は３４０ＭＨｚ以下）となるように設定する（ステップＳ９０）。なお、本実施の形態では、ＴＭＤＳクロック周波数の上限値をカテゴリ−２のＨＤＭＩケーブル３０で送信可能な範囲となるように設定するが、ＴＭＤＳクロック周波数の上限を設けないようにしてもよい。【００５３】
次いで、コンテンツ送信装置１０は、記憶部２１に記憶されたデフォルト設定情報及びユーザ設定情報、並びにコンテンツ受信装置４０から取得したＥＤＩＤ情報ｄ１０に基づいて、ステップＳ９０で定めたＴＭＤＳクロック周波数の上限を超えない範囲（具体的には、ＴＭＤＳクロック周波数は３４０ＭＨｚ以下）で、出力フォーマット（ＴＭＤＳクロック周波数）を決定する（ステップＳ１００）。【００５４】
次いで、コンテンツ送信装置１０は、決定した出力フォーマットに従って、映像変換及び音声変換を行い、決定したＴＭＤＳクロック周波数で出力を開始する（ステップＳ１１０）。この結果、コンテンツ送信装置１０で再生したコンテンツは、ステップＳ１００で決定したＴＭＤＳクロック周波数、すなわち、カテゴリ−２のＨＤＭＩケーブル３０に対応した伝送モードで出力される。【００５５】
一方、カテゴリ２のＨＤＭＩケーブル３０に対応した伝送モードを選択しなかった場合には（ステップＳ８０：ＮＯ）、コンテンツ送信装置１０は、現状のままの出力フォーマットで出力を行う（ステップＳ１２０）。この結果、コンテンツ送信装置１０で再生したコンテンツは、ステップＳ５０で決定したＴＭＤＳクロック周波数、すなわち、カテゴリ−１のＨＤＭＩケーブル３０に対応した伝送モードで出力される。【００５６】
以上から、本実施の形態のコンテンツ送信装置１０によれば、取得したＥＤＩＤ情報などから出力フォーマットを決定する際には、まず、カテゴリ１のＨＤＭＩケーブル３０に対応した伝送モードで出力フォーマットを決定し、決定した出力フォーマットで伝送モード選択画面を出力する。そして、ユーザからカテゴリ２のＨＤＭＩケーブル３０に対応した伝送モードを選択する旨の情報を受け取ったときに、カテゴリ２のＨＤＭＩケーブル３０に対応した伝送モードに出力フォーマットを変更するので、ＨＤＭＩケーブル３０が原因で映像が映らない、または音声が出力されないといった不具合を低減させることができる。ユーザによる伝送モードの選択があって、カテゴリ２のＨＤＭＩケーブル３０に対応した伝送モードに出力フォーマットに変更するからである。【００５７】
また、仮に映像が映らない、または音声が出力されないといった不具合が生じたとしても、ユーザは自ら伝送モードの選択を行っているので、不具合の原因がＨＤＭＩケーブル３０であることを認識することができる。【００５８】
なお、上述したコンテンツ送信装置１０の出力フォーマット決定処理には、種々の変形を施すことができる。以下、それぞれの変形例について説明する。なお、以下の変形例においては、上記実施の形態と異なるステップのみ説明し、同一の処理を行うステップに関しては、同一符号を付して説明を省略する。【００５９】
（第１変形例）
図５は、コンテンツ送信装置１０の出力フォーマット決定処理の第１変形例を示すフローチャートである。【００６０】
本変形例では、前提として、出力フォーマットを決定するのに用いた情報（詳しくは、ＥＤＩＤ情報ｄ１０、デフォルト設定情報、ユーザ設定情報など）、及び決定した出力フォーマットに関する情報（解像度、ビット数、ピクセル繰り返し、ＴＭＤＳクロック周波数など）は記憶部２１に記憶されている。そして、接続先のコンテンツ受信装置４０が変更されていないときは、記憶部２１に記憶した出力フォーマットに関する情報に従って出力を行い（出力フォーマットを決定する処理は行わない）、接続先のコンテンツ受信装置４０が変更されたときにだけ、出力フォーマットを決定するようになっている。【００６１】
すなわち、本変形例では、電源立ち上げ時に毎回、出力フォーマットの設定を行うのではなく、コンテンツ受信装置４０の機器変更時だけ行うように出力フォーマット決定処理を簡略化している。接続先のコンテンツ受信装置４０が変更されたときに出力フォーマットを再設定するのは、ＨＤＭＩケーブル３０が変更されていなくても、今まで表示されていた映像が表示されなかったり、今まで出力された音声が出力されなかったりする不具合が考えられるので、この不具合に対処するためである。【００６２】
図５のステップＳ１０〜ステップＳ４０は、上記実施の形態と処理内容が同一なので、説明を省略し、ステップＳ４５から説明をする。【００６３】
コンテンツ送信装置１０は、取得したＥＤＩＤ情報ｄ１０から、接続先のコンテンツ受信装置４０が変更されているか否かを判定する（ステップＳ４５）。ＥＤＩＤ情報ｄ１０には、コンテンツ受信装置４０の機器を特定する機器特定情報が含まれるので、記憶部２１に記憶したＥＤＩＤ情報ｄ１０の機器特定情報と、取得したＥＤＩＤ情報ｄ１０の機器特定情報とを比べて、接続先のコンテンツ受信装置４０が変更されているか否かを判断するものである。【００６４】
接続先のコンテンツ受信装置４０が変更されている場合には（ステップＳ４５：ＹＥＳ）、コンテンツ送信装置１０は、新たなコンテンツ受信装置４０に合った出力フォーマットを決定する。すなわち、上記実施の形態で述べたステップＳ５０〜ステップＳ１２０の処理を行って、出力フォーマット（ＴＭＤＳクロック周波数）を決定し、決定した出力フォーマットで再生したコンテンツを出力する。【００６５】
一方、接続先のコンテンツ受信装置４０が変更されていない場合には（ステップＳ４５：ＮＯ）、コンテンツ送信装置１０は、記憶部２１を参照して、前回決定した出力フォーマットに関する情報を取得するとともに、取得した出力フォーマットで映像変換及び音声変換を行い、取得したＴＭＤＳクロック周波数で出力を開始する（ステップＳ１３０）。【００６６】
従って、本変形例によれば、電源立ち上げ時に毎回、出力フォーマットの設定を行う必要はなく、コンテンツ受信装置４０の機器変更時だけ出力フォーマットの設定を行えばよいので、出力フォーマット決定処理の実行頻度を減らすことができる。【００６７】
また、コンテンツ受信装置４０が変更されている場合においても、ユーザによる伝送モードの選択があって、カテゴリ２のＨＤＭＩケーブル３０に対応した伝送モードに出力フォーマットを変更するので、ＨＤＭＩケーブル３０が原因で映像が映らない、または音声が出力されないといった不具合を低減化することができる。【００６８】
（第２変形例）
図６は、コンテンツ送信装置１０の出力フォーマット決定処理の第２変形例を示すフローチャートである。【００６９】
本変形例は、電源立ち上げ時に、上記実施の形態の出力フォーマット決定処理に沿って出力フォーマットを決定した後に、接続先のコンテンツ受信装置４０との切断を検出し、かつ、コンテンツ受信装置４０と再接続された場合の出力フォーマット決定処理である。【００７０】
すなわち、本変形例では、コンテンツ受信装置４０と切断が発生した後のコンテンツ受信装置４０との再接続時に、出力フォーマットの設定を行うようになっている。これは、コンテンツ受信装置４０との切断があった場合には、ＨＤＭＩケーブル３０が変更された場合も想定され、ＨＤＭＩケーブル３０が変更された場合には、今まで表示されていた映像が表示されなかったり、今まで出力された音声が出力されなかったりする不具合が考えられるので、この不具合に対処するためである。【００７１】
コンテンツ送信装置１０は、起動中に（ステップＳ３１０）、コンテンツ受信装置４０との切断を検出すると（ステップＳ３２０）、その後、コンテンツ受信装置４０と再接続されたか否かを判定する（ステップＳ３３０）。なお、コンテンツ送信装置１０とコンテンツ受信装置４０との切断は、ＨＰＤ及びＨＤＣＰにより判断する。また、コンテンツ送信装置１０とコンテンツ受信装置４０との再接続は、ＨＰＤ及びＨＤＣＰにより判断する。【００７２】
コンテンツ受信装置４０と再接続された場合には（ステップＳ３３０：ＹＥＳ）、コンテンツ送信装置１０は、再接続されたコンテンツ受信装置４０に合った出力フォーマットを決定する。すなわち、ステップＳ３４０〜ステップＳ４２０の処理（上記実施の形態で述べたステップＳ４０〜ステップＳ１２０と同一の処理である）を行って、出力フォーマット（ＴＭＤＳクロック周波数）を決定し、決定した出力フォーマットで再生したコンテンツを出力する。【００７３】
従って、本変形例によれば、コンテンツ受信装置４０と切断があっても、再接続時に出力フォーマットの設定を行うので、ＨＤＭＩケーブル３０が変更された場合であっても、ＨＤＭＩケーブル３０が原因で映像が映らない、または音声が出力されないといった不具合を低減化することができる。【００７４】
（第３変形例）
図７は、コンテンツ送信装置１０の出力フォーマット決定処理の第３変形例を示すフローチャートである。【００７５】
本変形例は、電源立ち上げ時に、上記実施の形態の出力フォーマット決定処理に沿って出力フォーマットを決定した後に、ユーザの意思により、さらに伝送モードを変更したい場合の出力フォーマット決定処理である。【００７６】
コンテンツ送信装置１０は、起動中に（ステップＳ３１０）、カテゴリ２のＨＤＭＩケーブル３０に対応した伝送モードにするか否かの選択を行う伝送モード選択画面に移行する操作情報を受け取ると（ステップＳ５１０）、伝送モード選択画面を作成し、コンテンツ受信装置４０に送信する（ステップＳ５２０）。なお、この伝送モード選択画面は、現在、出力されているＴＭＤＳクロック周波数で出力される。【００７７】
次いで、コンテンツ送信装置１０は、ユーザからの操作情報を受け付け、カテゴリ２のＨＤＭＩケーブル３０に対応した伝送モードを選択したか否かを判定する（ステップＳ５３０）。【００７８】
カテゴリ２のＨＤＭＩケーブル３０に対応した伝送モードを選択した場合には（ステップＳ５３０：ＹＥＳ）、コンテンツ送信装置１０は、ＴＭＤＳクロック周波数の上限値をカテゴリ−２のＨＤＭＩケーブル３０で送信可能な範囲（具体的には、ＴＭＤＳクロック周波数は３４０ＭＨｚ以下）となるように設定する（ステップＳ５４０）。なお、本変形例では、ＴＭＤＳクロック周波数の上限値をカテゴリ−２のＨＤＭＩケーブル３０で送信可能な範囲となるように設定するが、ＴＭＤＳクロック周波数の上限を設けないようにしてもよい。【００７９】
一方、カテゴリ２のＨＤＭＩケーブル３０に対応した伝送モードを選択しなかった場合には（ステップＳ５３０：ＮＯ）、コンテンツ送信装置１０は、ＴＭＤＳクロック周波数の上限値をカテゴリ−１のＨＤＭＩケーブル３０で送信可能な範囲（具体的には、ＴＭＤＳクロック周波数は７４．２５ＭＨｚ以下）となるように設定する（ステップＳ５７０）。【００８０】
次いで、コンテンツ送信装置１０は、記憶部２１に記憶されたデフォルト設定情報及びユーザ設定情報、並びにコンテンツ受信装置４０から取得したＥＤＩＤ情報ｄ１０に基づいて、ステップＳ５４０又はステップＳ５７０で定めたＴＭＤＳクロック周波数の上限を超えない範囲で、出力フォーマット（ＴＭＤＳクロック周波数）を決定する（ステップＳ５５０）。【００８１】
次いで、コンテンツ送信装置１０は、決定した出力フォーマットに従って、映像変換及び音声変換を行い、決定したＴＭＤＳクロック周波数で出力を開始する（ステップＳ５６０）。この結果、カテゴリ２のＨＤＭＩケーブル３０に対応した伝送モードを選択した場合には、コンテンツ送信装置１０で再生したコンテンツは、カテゴリ−２のＨＤＭＩケーブル３０に対応した伝送モードで出力され、カテゴリ２のＨＤＭＩケーブル３０に対応した伝送モードを選択しなかった場合には、コンテンツ送信装置１０で再生したコンテンツは、カテゴリ−１のＨＤＭＩケーブル３０に対応した伝送モードで出力される。【００８２】
従って、本変形例によれば、ユーザの好みにより伝送モードを簡単に変更することができるとともに、このような場合においても、ＨＤＭＩケーブル３０が原因で映像が映らない、または音声が出力されないといった不具合を低減化することができる。【００８３】
なお、第３変形例では、ユーザから伝送モード選択画面に移行するための指示を受けた場合に、コンテンツ送信装置１０は、現在、設定されているＴＭＤＳクロック周波数で伝送モード選択画面を出力するようにしたが、これ以外の方法であってもよい。例えば、上記実施の形態のステップＳ５０〜Ｓ７０の処理を実行するようにしてもよい。すなわち、ユーザからの伝送モード選択画面に移行するための指示を受けた場合に、コンテンツ送信装置１０は、ＴＭＤＳクロック周波数の上限値をカテゴリ−１のＨＤＭＩケーブル３０で送信可能な範囲に抑えたＴＭＤＳクロック周波数で伝送モード選択画面を出力するようにしてもよい。【００８４】
（第４変形例）
図８は、コンテンツ送信装置１０の出力フォーマット決定処理の第４変形例を示すフローチャートである。【００８５】
本変形例は、上記実施の形態において、カテゴリ２のＨＤＭＩケーブル３０に対応した伝送モードを選択した場合に、当該選択でよいのかを確認する確認画面をさらに表示するようになっている。これは、カテゴリ２のＨＤＭＩケーブル３０に対応した伝送モードを選択した場合には、ＨＤＭＩケーブル３０の種類によっては、再生したコンテンツの映像や音声がコンテンツ受信装置４０から出力されない可能性があるので、ユーザに再度の確認を行わせるものである。【００８６】
図８のステップＳ１０〜ステップＳ１１０は、上記実施の形態と処理内容が同一なので、説明を省略し、ステップＳ１５０から説明をする。【００８７】
コンテンツ送信装置１０は、この設定（カテゴリ２のＨＤＭＩケーブル３０に対応した伝送モードの選択）でよいか否かの選択を行う確認画面を作成し、コンテンツ受信装置４０に出力する（ステップＳ１５０）。この結果、確認画面はステップＳ１００で決定したＴＭＤＳクロック周波数、すなわち、カテゴリ−２のＨＤＭＩケーブル３０に対応した伝送モードで出力される。【００８８】
次いで、コンテンツ再生装置１０は、ユーザからの操作情報を受け付け、当該設定（カテゴリ２のＨＤＭＩケーブル３０に対応した伝送モードの選択）でよいか否かを判定する（ステップＳ１６０）。【００８９】
当該設定（カテゴリ２のＨＤＭＩケーブル３０に対応した伝送モードの選択）でよい場合には（ステップＳ１６０：ＹＥＳ）、当該設定、すなわち、ステップＳ１００で決定した出力フォーマットでコンテンツを出力する（ステップＳ１７０）。【００９０】
一方、当該設定（カテゴリ２のＨＤＭＩケーブル３０に対応した伝送モードの選択）でよくない場合、又は予め定められた時間を経過しても操作情報を受け付けない場合には（ステップＳ１６０：ＮＯ）、ステップＳ５０に戻り、再度、始めから出力フォーマットの決定を行う。ここで、予め定められた時間を経過しても操作情報を受け付けない場合を含めたのは、確認画面は、カテゴリ２のＨＤＭＩケーブル３０に対応した伝送モードで出力されるため、確認画面がコンテンツ受信装置４０に表示されない場合には、ユーザは選択できないので、選択不可の場合に対応するためである。【００９１】
なお、ステップＳ８０において、カテゴリ２のＨＤＭＩケーブル３０に対応した伝送モードを選択しなかった場合には（ステップＳ８０：ＮＯ）、コンテンツ送信装置１０は、現状のままの出力フォーマットで出力を行う（ステップＳ１７０）。この結果、コンテンツ送信装置１０で再生したコンテンツはステップＳ５０で決定したＴＭＤＳクロック周波数、すなわち、カテゴリ−１のＨＤＭＩケーブル３０に対応した伝送モードで出力される。【００９２】
従って、本変形例によれば、ユーザがカテゴリ−２のＨＤＭＩケーブル３０に対応した伝送モードの選択を行った場合には、カテゴリ２のＨＤＭＩケーブル３０に対応した伝送モードで確認画面を表示する、または確認画面を表示できないので、ユーザはこのことからカテゴリ１のＨＤＭＩケーブル３０に対応した伝送モードに戻すことができ、ＨＤＭＩケーブル３０が原因で映像が映らない、または音声が出力されないといった不具合をさらに低減させることができる。【００９３】
（第５変形例）
図９は、コンテンツ送信装置１０の出力フォーマット決定処理の第５変形例を示すフローチャートである。【００９４】
本変形例では、カテゴリ２のＨＤＭＩケーブル３０に対応した伝送モードを選択しなかった場合においても、解像度１０８０ｐ／５９．９４ＭＨｚ、解像度１０８０ｐ／６０ＭＨｚ、または解像度１０８０ｐ／５０ＭＨｚであって、２４ビット、ピクセル繰り返し「なし」の出力フォーマット（この場合、ＴＭＤＳクロック周波数はそれぞれ、１４８．３５２ＭＨｚ、１４８．５０ＭＨｚ、１４８．５０ＭＨｚになる）を出力可能とする設定を行えるようになっている。本来であれば、カテゴリ２のＨＤＭＩケーブル３０に対応した伝送モードを選択しなかった場合には、設定されるＴＭＤＳクロック周波数の上限は７４．２５ＭＨｚとなり、上記出力フォーマットは許可されないが、上記出力フォーマットはカテゴリ１のＨＤＭＩケーブル３０で送信できる場合があることから、上記実施の形態の出力フォーマット決定処理に例外処理を設けたものである。【００９５】
図９のステップＳ１０〜ステップＳ１１０は、上記実施の形態と処理内容が同一なので、説明を省略し、ステップＳ８０において、カテゴリ２のＨＤＭＩケーブル３０に対応した伝送モードを選択しなかった場合（ステップＳ８０：ＮＯ）の処理について説明をする。【００９６】
カテゴリ２のＨＤＭＩケーブル３０に対応した伝送モードを選択しなかった場合には（ステップＳ８０：ＮＯ）、コンテンツ送信装置１０は、ＴＭＤＳクロック周波数の上限値をカテゴリ−１のＨＤＭＩケーブル３０で送信可能な範囲（具体的には、ＴＭＤＳクロック周波数は７４．２５ＭＨｚ以下）となるように設定する（ステップＳ１７０）。ただし、解像度１０８０ｐ／５９．９４ＭＨｚ、解像度１０８０ｐ／６０ＭＨｚ、または解像度１０８０ｐ／５０ＭＨｚであって、２４ビット、ピクセル繰り返し「なし」の出力フォーマットのみは、出力を許可する設定とする（別途、ユーザが自ら出力フォーマットを選択する出力フォーマット選択画面において、解像度１０８０ｐ／５９．９４ＭＨｚ、解像度１０８０ｐ／６０ＭＨｚ、または解像度１０８０ｐ／５０ＭＨｚであって、２４ビット、ピクセル繰り返し「なし」の出力フォーマットを選択可能とする）。【００９７】
次いで、コンテンツ送信装置１０は、記憶部２１に記憶されたデフォルト設定情報及びユーザ設定情報、並びにコンテンツ受信装置４０から取得したＥＤＩＤ情報ｄ１０に基づいて、ステップＳ１７０で定めたＴＭＤＳクロック周波数の上限を超えない範囲で、出力フォーマット（ＴＭＤＳクロック周波数）を決定する（ステップＳ１００）。【００９８】
次いで、コンテンツ送信装置１０は、決定した出力フォーマットに従って、映像変換及び音声変換を行い、決定したＴＭＤＳクロック周波数で出力を開始する（ステップＳ１１０）。この結果、コンテンツ送信装置１０で再生したコンテンツはステップＳ１００で決定したＴＭＤＳクロック周波数、すなわち、カテゴリ−１のＨＤＭＩケーブル３０に対応した伝送モードで出力される。【００９９】
従って、本変形例によれば、上記実施の形態と同じ効果を有するとともに、ユーザが選択する可能性がある特定の出力フォーマットの設定に関しては、カテゴリ−１のＨＤＭＩケーブル３０に対応した伝送モードを選択した場合であっても、例外的に設定を許可しているので、ユーザの利便性を向上させることができる。【０１００】
なお、上記実施の形態及び変形例においては、２種類のＨＤＭＩケーブルに対応した出力フォーマット決定処理として説明したが、３種類以上のＨＤＭＩケーブルが存在する場合には、３種類以上のＨＤＭＩケーブルにも対応できるものである。すなわち、この場合にも、伝送帯域の最も低いカテゴリのＨＤＭＩケーブルに対応した伝送モードで、他のカテゴリのＨＤＭＩケーブルに対応した伝送モードを選択できる伝送モード選択画面を出力し、他のカテゴリのＨＤＭＩケーブルに対応した伝送モードを選択する旨の情報を受け取ったときには、伝送帯域がより高いカテゴリのＨＤＭＩケーブルに対応した伝送モードを設定するものである。【０１０１】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【図１】
2009118851.tif 000003
【図２】
2009118851.tif 000004
【図３】
2009118851.tif 000005
【図４】
2009118851.tif 000006
【図５】
2009118851.tif 000007
【図６】
2009118851.tif 000008
【図７】
2009118851.tif 000009
【図８】
2009118851.tif 000010
【図９】
2009118851.tif 000011
【国際調査報告】
2009118851.tif 000012
2009118851.tif 000013